(57)【要約】【課題】  問合せ型オンライン取引において、端末でトラザクションを保留したまま電源を切っても、計算機処理で使用するデータがなくならないようにすることを目的とする。【解決手段】  端末２０とホストコンピュータ５０とが接続されるネットワーク４０の端末２０に備えられる一括自動後送処理装置において、端末２０がオンライン取引を行なうことができる状態か否かということを示すオフラインモードを、端末２０の内部記憶部に格納される宣言モードを更新することで設定又は解除して、更新された宣言モードに従って、オンライン取引の問合せ要求を示す電文を、ホストコンピュータに送信するか、又は端末に接続される外部記憶媒体３０に蓄積するかを判断し、外部記録媒体３０に蓄積されている問合せ要求を示す電文を、ホストコンピュータ５０に自動後送する。【選択図】  図３
2006079530.tif 000002
【特許請求の範囲】
【請求項１】
端末とホストコンピュータとが接続されるネットワークシステムの前記端末に備えられる一括自動後送処理装置において、
前記端末がオンライン取引を行なうことができる状態か否かということを示すオフラインモードを、前記端末の内部記憶部に格納される宣言モードを更新することで設定又は解除するオフラインモードの設定／解除手段と、
前記更新された宣言モードに従って、オンライン取引の問合せ要求を示す電文を、前記ホストコンピュータに送信するか、又は前記端末に接続される外部記憶媒体に蓄積するかを判断する問合せ取引制御手段と、
前記外部記憶媒体に記憶された前記問合せ要求を示す電文を、前記ホストコンピュータに自動後送する一括自動後送手段と、を備えることを特徴とする一括自動後送処理装置。
【請求項２】
前記問合せ取引制御手段は、前記問合せ要求を示す電文を前記外部記憶媒体に蓄積することを特徴とする請求項１記載の一括自動後送処理装置。
【請求項３】
前記端末は、入力装置に接続されていることを特徴とする請求項１又は２記載の一括自動後送処理装置。
【請求項４】
前記入力装置は、キーボードであることを特徴とする請求項３記載の一括自動後送処理装置。
【請求項５】
前記端末は、出力装置に接続されていることを特徴とする請求項３又は４記載の一括自動後送処理装置。
【請求項６】
前記出力装置は、ディスプレイであることを特徴とする請求項５記載の一括自動後送処理装置。
【請求項７】
前記出力装置は、印刷装置であることを特徴とする請求項６記載の一括自動後送処理装置。
【請求項８】
最初に送信する電文の登録番号である開始番号と、最後に送信する電文の登録番号である終了番号とが入力されて、前記開始番号と終了番号の範囲内にある電文が送信されることを特徴とする請求項３から７のいずれか１項記載の一括自動後送処理装置。
【請求項９】
端末とホストコンピュータとが接続されるネットワークシステムの前記端末において、
前記端末がオンライン取引を行なうことができる状態か否かということを示すオフラインモードを、前記端末の内部記憶部に格納される宣言モードを更新することで、設定又は解除するオフラインモードの設定／解除手段と、
前記更新された宣言モードに従って、オンライン取引の問合せ要求を示す電文を、前記ホストコンピュータに送信するか、又は前記端末に接続される外部記憶媒体に蓄積するかを判断する問合せ取引制御手段と、
前記外部記憶媒体に記憶された前記問合せ要求を示す電文を、前記ホストコンピュータに自動後送する一括自動後送手段と、を備えることを特徴とする端末。
【請求項１０】
前記問合せ取引制御手段は、前記問合せ要求を示す電文を前記外部記憶媒体に蓄積することを特徴とする請求項９記載の端末。
【請求項１１】
入力装置に接続されていることを特徴とする請求項９又は１０記載の端末。
【請求項１２】
前記入力装置は、キーボードであることを特徴とする請求項１１記載の端末。
【請求項１３】
出力装置に接続されていることを特徴とする請求項１１又は１２記載の端末。
【請求項１４】
前記出力装置は、ディスプレイであることを特徴とする請求項１３記載の端末。
【請求項１５】
前記出力装置は、印刷装置であることを特徴とする請求項１３記載の端末。
【請求項１６】
最初に送信する電文の登録番号である開始番号と、最後に送信する電文の登録番号である終了番号とが入力されて、前記開始番号と終了番号の範囲内にある電文が送信されることを特徴とする請求項１１から１５のいずれか１項記載の端末。
【請求項１７】
端末とホストコンピュータとが接続されるネットワークシステムにおいて、
前記端末は、前記端末がオンライン取引を行なうことができる状態か否かということを示すオフラインモードを、前記端末の内部記憶部に格納される宣言モードを更新することで設定又は解除するオフラインモードの設定／解除手段と、
前記更新された宣言モードに従って、オンライン取引の問合せ要求を示す電文を、前記ホストコンピュータに送信するか、又は前記端末に接続される外部記憶媒体に蓄積するかを判断する問合せ取引制御手段と、
前記外部記憶媒体に記憶された前記問合せ要求を示す電文を、前記ホストコンピュータに自動後送する一括自動後送手段と、を備えることを特徴とするネットワークシステム。
【請求項１８】
前記問合せ取引制御手段は、前記問合せ要求を示す電文を前記外部記憶媒体に蓄積することを特徴とする請求項１７記載のネットワークシステム。
【請求項１９】
前記端末は、入力装置に接続されていることを特徴とする請求項１７又は１８記載のネットワークシステム。
【請求項２０】
前記入力装置は、キーボードであることを特徴とする請求項１９記載のネットワークシステム。
【請求項２１】
前記端末は、出力装置に接続されていることを特徴とする請求項１９又は２０記載のネットワークシステム。
【請求項２２】
前記出力装置は、ディスプレイであることを特徴とする請求項２１記載のネットワークシステム。
【請求項２３】
前記出力装置は、印刷装置であることを特徴とする請求項２１記載のネットワークシステム。
【請求項２４】
最初に送信する電文の登録番号である開始番号と、最後に送信する電文の登録番号である終了番号とが入力されて、前記開始番号と終了番号の範囲内にある電文が送信されることを特徴とする請求項１７から２３のいずれか１項記載のネットワークシステム。
【請求項２５】
端末とホストコンピュータとが接続されるネットワークシステムの前記端末における一括自動後送処理方法において、
前記端末がオンライン取引を行なうことができる状態か否かということを示すオフラインモードを、前記端末の内部記憶部に格納される宣言モードを更新することで、設定又は解除し、
前記更新された宣言モードに従って、オンライン取引の問合せ要求を示す電文を、前記ホストコンピュータに送信するか、又は前記端末に接続される外部記憶媒体に蓄積するかを判断し、
前記外部記憶媒体に蓄積する場合、前記問合せ要求を示す電文を前記外部記憶媒体に蓄積し、
前記外部記録媒体に蓄積されている前記問合せ要求を示す電文を、前記ホストコンピュータに自動後送することを特徴とする一括自動後送処理方法。
【請求項２６】
前記問合せ要求を示す電文を前記外部記憶媒体に蓄積することを特徴とする請求項２５記載の一括自動後送処理方法。
【請求項２７】
最初に送信する電文の登録番号である開始番号と、最後に送信する電文の登録番号である終了番号とは前記端末に接続される入力装置を介して入力されて、前記開始番号と終了番号の範囲内にある電文が送信されることを特徴とする請求項２６記載の一括自動後送処理方法。
【請求項２８】
前記入力装置は、キーボードであることを特徴とする請求項２７記載の一括自動後送処理方法。
【請求項２９】
前記端末に入力された開始番号及び終了番号は、出力装置を介して出力されることを特徴とする請求項２７又は２８記載の一括自動後送処理方法。
【請求項３０】
前記出力装置は、ディスプレイであることを特徴とする請求項２９記載の一括自動後送処理方法。
【請求項３１】
前記出力装置は、印刷装置であることを特徴とする請求項２９記載の一括自動後送処理方法。
【請求項３２】
端末とホストコンピュータとが接続されるネットワークシステムの前記端末における一括自動後送処理装置のプログラムにおいて、
前記一括自動後送処理装置に、前記端末がオンライン取引を行なうことができる状態か否かということを示すオフラインモードを、前記端末の内部記憶部に格納される宣言モードを更新させることで、設定又は解除させ、
前記更新された宣言モードに従って、オンライン取引の問合せ要求を示す電文を、前記ホストコンピュータに送信するか又は前記端末に接続される外部記憶媒体に蓄積するかを判断させ、
前記外部記憶媒体に蓄積させる場合、前記問合せ要求を示す電文を前記外部記憶媒体に蓄積させ、
前記外部記録媒体に蓄積されている前記問合せ要求を示す電文を、前記ホストコンピュータへ自動後送させることを特徴とする一括自動後送処理装置のプログラム。
【請求項３３】
前記問合せ要求を示す電文を前記外部記憶媒体に蓄積させることを特徴とする請求項３２記載の一括自動後送処理装置のプログラム。
【請求項３４】
最初に送信する電文の登録番号である開始番号と、最後に送信する電文の登録番号である終了番号とは前記端末に接続される入力装置を介して入力されて、前記開始番号と終了番号の範囲内にある電文が送信されることを特徴とする請求項３２又は３３記載の一括自動後送処理装置のプログラム。
【請求項３５】
前記入力装置は、キーボードであることを特徴とする請求項３４記載の一括自動後送処理装置のプログラム。
【請求項３６】
前記端末に入力された開始番号及び終了番号は、出力装置を介して出力させることを特徴とする請求項３４又は３５記載の一括自動後送処理装置のプログラム。
【請求項３７】
前記出力装置は、ディスプレイであることを特徴とする請求項３６記載の一括自動後送処理装置のプログラム。
【請求項３８】
前記出力装置は、印刷装置であることを特徴とする請求項３７記載の一括自動後送処理装置のプログラム。
【発明の詳細な説明】
【技術分野】
【０００１】
本発明は、一括自動後送処理装置、端末及びネットワークシステムに関し、特に、問合せ型オンライン取引を行なう一括自動後送処理装置、端末及びネットワークシステムに関する。
【背景技術】
【０００２】
従来、銀行などの金融機関の営業店の窓口にある端末で行なう取引で、問合せ型オンライン取引というものがある。
【０００３】
この問合せ型オンライン取引とは、一般的に、オンラインでホストコンピュータに問合せすると、問合せを行った端末に応答が返却される取引のことをいう（ＩＮＱ−ＡＮＳＷＥＲ型）。
【０００４】
特許文献１には、ホスト計算機が休止中の場合は端末でトラザクションを保留し、ホスト計算機の再開後にこのトラザクションに対する計算機処理を行なうバンキングシステムが開示されている。
【特許文献１】特開平０５−１４３６３０号公報
【発明の開示】
【発明が解決しようとする課題】
【０００５】
しかしながら、従来の問合せ型オンライン取引では、端末側でホスト計算機が休止か否かを判断し、ホスト計算機が休止の場合は端末でトラザクションを保留し、ホスト計算機の再開後にこのトラザクションに対する計算機処理を行なうため、端末の動作自体を休止しなければならなかった。
【０００６】
しかし、このように端末の動作を止めてしまうと、保留のまま端末の電源を切ったときなどは、計算機処理で使用するデータがなくなってしまうことがあった。
【０００７】
そこで、本発明は、問合せ型オンライン取引において、端末でトラザクションを保留したまま電源を切っても、計算機処理で使用するデータがなくならないようにすることを目的とする。
【課題を解決するための手段】
【０００８】
本発明は、上記課題を解決するための手段として、端末とホストコンピュータとが接続されるネットワークシステムの前記端末に備えられる一括自動後送処理装置において、前記端末がオンライン取引を行なうことができる状態か否かということを示すオフラインモードを、前記端末の内部記憶部に格納される宣言モードを更新することで設定又は解除するオフラインモードの設定／解除手段と、前記更新された宣言モードに従って、オンライン取引の問合せ要求を示す電文を、前記ホストコンピュータに送信するか、又は前記端末に接続される外部記憶媒体に蓄積するかを判断する問合せ取引制御手段と、前記外部記憶媒体に記憶された前記問合せ要求を示す電文を、前記ホストコンピュータに自動後送する一括自動後送手段と、を備えることを特徴とする。
【０００９】
また、本発明は、前記問合せ取引制御手段は、前記問合せ要求を示す電文を前記外部記憶媒体に蓄積することを特徴とする。
【００１０】
また、本発明は、前記端末は、入力装置に接続されていることを特徴とする。
【００１１】
また、本発明は、前記入力装置は、キーボードであることを特徴とする。
【００１２】
また、本発明は、前記端末は、出力装置に接続されていることを特徴とする。
【００１３】
また、本発明は、前記出力装置は、ディスプレイであることを特徴とする。
【００１４】
また、本発明は、前記出力装置は、印刷装置であることを特徴とする。
【００１５】
また、本発明は、最初に送信する電文の登録番号である開始番号と、最後に送信する電文の登録番号である終了番号とが入力されて、前記開始番号と終了番号の範囲内にある電文が送信されることを特徴とする。
【００１６】
また、本発明は、端末とホストコンピュータとが接続されるネットワークシステムの前記端末において、前記端末がオンライン取引を行なうことができる状態か否かということを示すオフラインモードを、前記端末の内部記憶部に格納される宣言モードを更新することで、設定又は解除するオフラインモードの設定／解除手段と、前記更新された宣言モードに従って、オンライン取引の問合せ要求を示す電文を、前記ホストコンピュータに送信するか、又は前記端末に接続される外部記憶媒体に蓄積するかを判断する問合せ取引制御手段と、前記外部記憶媒体に記憶された前記問合せ要求を示す電文を、前記ホストコンピュータに自動後送する一括自動後送手段と、を備えることを特徴とする。
【００１７】
また、本発明は、前記問合せ取引制御手段は、前記問合せ要求を示す電文を端末とホストコンピュータとが接続されるネットワークシステムにおいて、前記端末は、前記端末がオンライン取引を行なうことができる状態か否かということを示すオフラインモードを、前記端末の内部記憶部に格納される宣言モードを更新することで設定又は解除するオフラインモードの設定／解除手段と、前記更新された宣言モードに従って、オンライン取引の問合せ要求を示す電文を、前記ホストコンピュータに送信するか、又は前記端末に接続される外部記憶媒体に蓄積するかを判断する問合せ取引制御手段と、前記外部記憶媒体に記憶された前記問合せ要求を示す電文を、前記ホストコンピュータに自動後送する一括自動後送手段と、を備えることを特徴とする。
【００１８】
また、本発明は、端末とホストコンピュータとが接続されるネットワークシステムの前記端末における一括自動後送処理方法において、前記端末がオンライン取引を行なうことができる状態か否かということを示すオフラインモードを、前記端末の内部記憶部に格納される宣言モードを更新することで、設定又は解除し、前記更新された宣言モードに従って、オンライン取引の問合せ要求を示す電文を、前記ホストコンピュータに送信するか、又は前記端末に接続される外部記憶媒体に蓄積するかを判断し、前記外部記憶媒体に蓄積する場合、前記問合せ要求を示す電文を前記外部記憶媒体に蓄積し、前記外部記録媒体に蓄積されている前記問合せ要求を示す電文を、前記ホストコンピュータに自動後送することを特徴とする。
【００１９】
また、本発明は、端末とホストコンピュータとが接続されるネットワークシステムの前記端末における一括自動後送処理装置のプログラムにおいて、前記一括自動後送処理装置に、前記端末がオンライン取引を行なうことができる状態か否かということを示すオフラインモードを、前記端末の内部記憶部に格納される宣言モードを更新させることで、設定又は解除させ、前記更新された宣言モードに従って、オンライン取引の問合せ要求を示す電文を、前記ホストコンピュータに送信するか又は前記端末に接続される外部記憶媒体に蓄積するかを判断させ、前記外部記憶媒体に蓄積させる場合、前記問合せ要求を示す電文を前記外部記憶媒体に蓄積させ、前記外部記録媒体に蓄積されている前記問合せ要求を示す電文を、前記ホストコンピュータへ自動後送させることを特徴とする。
【発明の効果】
【００２０】
本発明によれば、端末の内部記憶部に格納される宣言モードを更新し、オフラインモードを設定又は解除するオフラインモードの設定／解除手段と、更新された宣言モードに従って、オンライン取引の問合せ要求を示す電文を、ホストコンピュータに送信するか、又は端末に接続される外部記憶媒体に蓄積するかを判断する問合せ取引制御手段と、問合せ要求を示す電文を、ホストコンピュータに自動後送する一括自動後送手段と、を備える構成なので、問合せ要求を示す電文を外部記憶媒体に蓄積するか、ホストコンピュータの業務再開後に一括自動後送するかを選択することが可能となるので、ホストコンピュータの動作中には電文を送信することができ、ホストコンピュータが休止中には電文を送信せずに外部記憶媒体に記憶することが可能となる。その結果、問合せ要求を示す電文を重複して送信することはなくなる。
【発明を実施するための最良の形態】
【００２１】
以下、添付図面を参照して本発明を実施するための最良の実施の形態を説明する。
【００２２】
［構成の説明］
図１は、本発明の一実施の形態の構成を示すブロック図である。
【００２３】
図１に示すように、本実施の形態において、端末２０と、ホストコンピュータ５０とがネットワーク４０を介して接続されている。
【００２４】
また、図１に示すように、端末２０は、キーボードなどの入力装置６０と、ディスプレイなどや印刷装置などである出力装置７０と、情報を記録する外部記録媒体３０とに接続されている。
【００２５】
図２は、端末２０のハードウェア構成の要部を示すブロック図である。
【００２６】
図２に示すように、端末２０は、端末２０を制御するＣＰＵ２１と、ＣＰＵ２１の制御プログラムが格納されるＲＯＭ２２と、ＣＰＵ２１のワークエリアを提供するＲＡＭ２３とを備えている。
【００２７】
図３は、端末２０がソフトウエアとして備える一括自動後送処理装置２００の機能ブロック図である。
【００２８】
図３に示すように、端末２０の一括自動後送処理装置２００は、オフラインモードの設定／解除手段２０１と、問合せ取引制御手段２０２と、一括自動後送手段２０３と、内部記憶部２０４とを備えている。
【００２９】
オフラインモードの設定／解除手段２０１は、入力装置６０からの起動要求により動作し、内部記憶部２０４の宣言モードを更新し、オフラインモードを設定又は解除する。
【００３０】
ここで、宣言モードとは、入力装置６０から指示された一括自動後送処理装置２００が行なう一括自動後送処理の可否フラグのことをいい、オンラインモード及びオフラインモードは端末２０がとりうる状態のことをいう。
【００３１】
オンラインモードはオンライン取引が可能な状態で、オフラインモードはオンライン取引ができない状態のことをいう。
【００３２】
問合せ取引制御手段２０２は、入力装置６０からの起動要求により動作し、内部記憶部２０４に格納される宣言モードに従って、オンライン取引の問合せ要求を示す電文をホストコンピュータ５０に送信するか、又は外部記憶媒体３０に蓄積するかを判断する。
【００３３】
問合せ取引制御手段２０２の判断結果により問合せ取引が実行され、処理結果は出力装置７０に出力される。
【００３４】
一括自動後送手段２０３は、入力装置６０からの起動要求により動作し、外部記憶媒体３０に蓄積された電文をホストコンピュータ５０に送信し、オンライン取引の問合せ要求を自動後送する。
【００３５】
また、一括自動後送手段２０３は、外部記憶媒体３０に蓄積された複数の問合せ要求をホストコンピュータ５０に処理させ、処理結果を予め外部記憶媒体３０に蓄積されている問合せデータに更新するとともに、出力装置７０にオンライン処理の結果を表示する。
【００３６】
［動作の説明］
図４は、本実施の形態のオフラインモードの設定／解除手段２０１の動作を示すフローチャートである。
【００３７】
図４に示すように、利用者は、入力装置６０を介して、オフラインモードを設定するか、又はオフラインモードを解除することを示す指示を入力する（オンラインモードになる）（ステップＳ１）。
【００３８】
オフラインモードの設定／解除手段２０１は、ステップＳ１で入力された指示に従って、内部記憶部２０４に格納される宣言モードを更新する（ステップＳ２）。
【００３９】
図５は、内部記憶部２０４に記録されるデータを示す図である。
【００４０】
図５に示すように、内部記憶部２０４には、データが宣言モードとして登録されており、ＯＮの場合はオフラインモードとし、ＯＦＦの場合はオンラインモードとなる。
【００４１】
図６は、本実施の形態の問合せ取引制御手段２０２の動作を示すフローチャートである。
【００４２】
図６に示すように、問合せ取引制御手段２０２は、内部記憶部２０４に格納される宣言モードとなっているデータを取得する（ステップＳ１１）。
【００４３】
次いで、入力装置６０から問合せ取引に必要なデータである名前などが入力されて、問合せ取引が開始する（ステップＳ１２）。
【００４４】
次に、ホストコンピュータ５０に送信される電文は、所定のフォーマットに従って編集される（ステップＳ１３）。
【００４５】
ステップＳ１１で取得した宣言モードがチェックされ、オフラインモードかオンラインモードかが判断される（ステップＳ１４）。
【００４６】
オフラインモードと判断された場合（ステップＳ１４／Ｙｅｓ）、ステップＳ１３で編集された電文が外部記憶媒体３０に蓄積される（ステップＳ１５）。
【００４７】
問合せ取引の電文を更に蓄積するか否かを利用者が判断し（ステップＳ１６）、追加する場合はステップＳ１２から再度実行され、追加しない場合は、処理は終了される。
【００４８】
一方、ステップＳ１４でオフラインモードでないと判断された場合は本来の問合せ取引となり、ステップＳ１３で編集された電文がホストコンピュータ５０に送信される（ステップＳ１７）。
【００４９】
次に、ホストコンピュータ５０は、送信された電文を受け、ホストコンピュータ５０から結果が応答される（ステップＳ１８）。
【００５０】
問合せ型のオンライン取引は、以上で完了し処理は終了する（ステップＳ１９）。
【００５１】
図７は、外部記憶媒体３０に蓄積する電文のレコードレイアウトである。
【００５２】
レコードは、オフラインモード時の問合せ取引を実行するごとに１レコード作成され、登録番号３０１が１番から順に付与されている。
【００５３】
ホスト宛送信電文３０２には、問合せ取引で入力したデータをもとに編集された電文が設定されている。
【００５４】
また、処理結果３０３は、レコードが作成された時点では「未処理」が設定されており、自動後送処理の結果により「処理済」が設定される。
【００５５】
図８は、本実施の形態の一括自動後送手段２０３の動作を示すフローチャートである。
【００５６】
図８に示すように、外部記憶媒体３０が端末の一括自動後送処理装置２００にセットされる（ステップＳ２１）。
【００５７】
この外部記憶媒体３０には、図６のステップＳ１２で作成された電文が蓄積されている。
【００５８】
蓄積された電文には、電文ごとに登録番号が付されている。
【００５９】
入力装置６０を介して、最初に送信する電文の登録番号である開始番号と、最後に送信する電文の登録番号である終了番号とが入力されると、自動後送が開始される（ステップＳ２２）。
【００６０】
外部記憶媒体３０に蓄積された電文が読み込まれる処理にうつる（ステップＳ２３）。
【００６１】
登録番号３０１が、ステップＳ２２で入力された開始番号及び終了番号の範囲内でなければ処理が終了され、範囲内であれば次のステップに進む（ステップＳ２４）。
【００６２】
次に、読み込もうとする電文が、「未処理」か又は「処理済」かを判断し（ステップＳ２５）、「処理済」の場合には、次の電文を読み込めるようにして、ステップＳ２３に戻る（ステップＳ２５／Ｙｅｓ）。
【００６３】
読み込もうとする電文が、「未処理」の場合は（ステップＳ２５／Ｎｏ）、次のステップに進む。
【００６４】
ステップＳ２３で読み込まれたホスト宛送信電文３０２はホストコンピュータ５０に送信される（ステップＳ２６）。
【００６５】
次に、ステップＳ２６で送信された電文をホストコンピュータ５０が受け、ホストコンピュータ５０から結果が応答される（ステップＳ２７）。
【００６６】
一つの電文に関する問合せ型のオンライン取引が取引完了となる（ステップＳ２８）。
【００６７】
次に、ステップＳ２７でホストコンピュータ５０から「正常終了」の結果応答が返却された場合、外部記憶媒体３０に処理結果「処理済」が書き込まれ、さらに電文が読み込まれるために、次の電文が読み込まれるようにして、ステップＳ２３から再度実行される（ステップＳ２９）。
【００６８】
次に、本実施の形態の効果について説明する。
【００６９】
本実施の形態では、端末の内部記憶部に格納される宣言モードを更新し、オフラインモードを設定又は解除するオフラインモードの設定／解除手段と、更新された宣言モードに従って、オンライン取引の問合せ要求を示す電文を、ホストコンピュータに送信するか、又は端末に接続される外部記憶媒体に蓄積するかを判断する問合せ取引制御手段と、問合せ要求を示す電文をホストコンピュータに自動後送する一括自動後送手段と、を備える構成であるため、外部記憶媒体に蓄積したデータをホストコンピュータの業務再開後に一括自動後送することが可能となり、問合せ型オンライン取引の端末入力を省略できるとともに、処理時間が短縮されることである。
【００７０】
また、本実施の形態では、さらに、外部記憶媒体３０に蓄積するデータのレコードに登録番号が付与されるため、自動後送処理の実行範囲を決められ、複数のデータを管理することができる。
【００７１】
また、本実施の形態では、外部記憶媒体３０に蓄積される電文の処理結果が判断されるので、自動後送処理を再度実行したときに「処理済」の問合せ取引が実行されることを抑制できる。
【００７２】
また、本実施の形態では、開始番号と終了番号を入力しその範囲内にある電文を送信する構成なので、その範囲内の電文のみを送信することが可能となり、処理時間の短縮につながる。
【００７３】
本実施の形態によれば、問合せ型オンライン取引の電文を外部記憶媒体に蓄積する構成なので、ホストコンピュータがオンライン業務中以外の時間にもデータを作成できるようになった。
【００７４】
本実施の形態によれば、問合せ型オンライン取引の電文を外部記憶媒体に蓄積する構成なので、例えば、端末を変えても一括自動後送することが可能である。
【００７５】
本実施の形態によれば、入力装置に接続されているので、開始番号及び終了番号を入力することが可能となり、送信する電文の範囲指定が可能となり、処理時間の短縮につながる。
【００７６】
本実施の形態によれば、入力装置がキーボードであるので、開始番号及び終了番号を入力しやすくなり、処理時間のさらなる短縮につながる。
【００７７】
本実施の形態によれば、出力装置に接続されているので、開始番号及び終了番号を入力する際に、これらを確認しながら入力することができるので、より利便性が向上する。
【００７８】
本実施の形態によれば、出力装置がディスプレイであるので、開始番号及び終了番号を容易に確認することができるようになり、より利便性が向上する。
【００７９】
本実施の形態によれば、出力装置が印刷装置であるので、開始番号及び終了番号を紙面に保存することが可能となる。
【００８０】
本実施の形態によれば、開始番号と終了番号を入力しその範囲内にある電文を送信する構成なので、その範囲内の電文のみを送信することが可能となり、処理時間の短縮につながる。
【産業上の利用可能性】
【００８１】
本発明は、リアルタイムに行なわなくても影響の無い業務取引において、端末でトラザクションを保留したまま電源を切っても処理用データを後送するために利用することができる。
【図面の簡単な説明】
【００８２】
【図１】本発明の一実施の形態の構成を示すブロック図である。
【図２】端末２０のハードウェア構成を示すブロック図である。
【図３】端末２０がソフトウエアとして備える一括自動後送処理装置２００の機能ブロック図である。
【図４】本発明の実施の形態のオフラインモードの設定／解除手段２０１の動作を示すフローチャートである。
【図５】内部記憶部２０４に記録されるデータを示す図である。
【図６】本発明の実施の形態の問合せ取引制御手段２０２の動作を示すフローチャートである。
【図７】外部記憶媒体３０に蓄積するデータのレコードレイアウトである。
【図８】本発明の実施の形態の自動後送手段２０３の動作を示すフローチャートである。
【符号の説明】
【００８３】
２０  端末
２１  ＣＰＵ
２２  ＲＯＭ
２３  ＲＡＭ
３０  外部記憶媒体
４０  ネットワーク
５０  ホストコンピュータ
６０  入力装置
７０  出力装置
２０１  オフラインモードの設定／解除手段
２０２  問合せ取引制御手段
２０３  一括自動後送手段
２０４  内部記憶部
【図１】
2006079530.tif 000003
【図２】
2006079530.tif 000004
【図３】
2006079530.tif 000005
【図４】
2006079530.tif 000006
【図５】
2006079530.tif 000007
【図６】
2006079530.tif 000008
【図７】
2006079530.tif 000009
【図８】
2006079530.tif 000010